(57)【要約】  ネットワークシステム１においては、ブラウザ機能を有さないテレビ電話機３２に対するユーザの操作に応じて、ＨＴＭＬにより記述されたＷＥＢデータが、ＷＥＢサーバ２６からＷＥＢ閲覧サーバ４に対して、ＨＴＴＰにより供給される。供給されたＷＥＢデータは、ＷＥＢ閲覧サーバ４により、例えば、テレビ電話機３２に表示可能なＭＰＥＧ形式の動画像データに変換される。さらに、この動画像データが、ＷＥＢ閲覧サーバ４とテレビ電話機３２との間に回線交換により設定された伝送路を介して、テレビ電話機３２に配信され、表示される。つまり、ネットワークシステム１においては、動画像表示機能および音声送信機能を有するが、ブラウザ機能を有さないテレビ電話機３２のユーザが、インターネット上のＷＥＢ画像を閲覧することができる。【特許請求の範囲】
【請求項１】
伝送路を介して動画像の配信を受けて表示する画像表示装置に対して、前記動画像を配信する動画像配信装置であって、
画像を示す画像データを、前記画像表示装置により表示されうる形式の動画像に変換する変換手段と、
前記変換の結果として得られた動画像を、前記伝送路を介して、前記画像表示装置に対して配信する動画像配信手段と
を有する動画像配信装置。
【請求項２】
前記画像表示装置は、それぞれ情報を表し、選択可能な複数の音声を、前記伝送路を介して送信し、
前記送信された音声を識別して、選択された音声が表す情報を示す識別データを作成する音声識別手段と、
前記作成された識別データに基づいて、前記画像データを供給する画像供給手段と
をさらに有し、
前記変換手段は、前記供給された画像データを、前記画像表示装置により表示されうる形式の動画像に変換する
請求の範囲１に記載の動画像配信装置。
【請求項３】
前記画像表示装置は、前記伝送路を介して、ＤＴＭＦ(Dial Tone Multi Frequency)信号を、前記選択可能な音声として送信し、
前記音声識別手段は、前記送信されたＤＴＭＦ信号を識別して、前記ＤＴＭＦ信号により表される情報を示す識別データを作成する
請求の範囲２に記載の動画像配信装置。
【請求項４】
前記画像は、１つ以上の参照画像を示す参照画像データと対応付けられ、前記参照画像データそれぞれは、前記複数の音声のいずれかが表す情報と対応付けられ、
前記画像供給手段は、前記１つ以上の参照画像データに対応付けられた情報を示す参照用画像を含む前記画像を示す画像データを供給し、
前記音声識別手段は、前記画像表示装置に表示された画像に含まれる参照用画像に対する選択に応じて送信された音声を識別して、前記識別データを作成し、
前記作成された識別データに基づいて、前記参照画像データを供給する参照画像供給手段
をさらに有し、
前記変換手段は、前記供給された参照画像データを、前記画像データとして、前記画像表示装置により表示されうる形式の動画像に変換する
請求の範囲２に記載の動画像配信装置。
【請求項５】
前記参照画像データは、所定の供給元から供給され、
前記参照画像供給手段は、前記作成された識別データに基づいて、前記供給元から、前記参照画像データを取得する
請求の範囲４に記載の動画像配信装置。
【請求項６】
前記参照画像データは、ＷＥＢデータであって、前記所定の供給元は、前記ＷＥＢデータを供給するＷＥＢサーバに付されたＵＲＬ(Uniform Resource Locator)である
請求の範囲５に記載の動画像配信装置。
【請求項７】
前記画像供給手段は、前記画像として、静止画像を示す前記画像データを供給し、
前記変換手段は、前記静止画像を示す画像データを、前記画像表示装置により表示されうる形式の動画像に変換する
請求の範囲１に記載の動画像配信装置。
【請求項８】
前記参照画像供給手段は、ＨＴＭＬ(HyperText Markup Language)を用いて記述された前記参照画像データを供給し、
前記画像供給手段は、前記ＨＴＭＬを用いて記述された参照画像データから、前記画像データを作成する
請求の範囲７に記載の動画像配信装置。
【請求項９】
前記画像表示装置は、ＭＰＥＧ(Moving Picture Experts Group)形式で動画像の配信を受けて表示し、
前記変換手段は、前記ＨＴＭＬを用いて記述された参照画像データから作成された前記画像データを、ＭＰＥＧ形式の動画像データに変換する
請求の範囲８に記載の動画像配信装置。
【請求項１０】
伝送路を介して動画像の配信を受けて表示する画像表示装置と、
画像を示す画像データを、前記画像表示手段により表示されうる形式の動画像に変換する変換手段と、
前記変換の結果として得られた動画像を、前記画像表示装置に対して配信する動画像配信手段と
を有する動画像配信装置
とを有する動画像配信システム。
【請求項１１】
前記画像表示装置と、前記動画像表示装置とは、回線交換により設定される前記伝送路により接続される
請求の範囲１０に記載の動画像配信システム。
【請求項１２】
前記画像表示装置と、前記動画像表示装置とは、蓄積交換により設定される前記伝送路により接続される
請求の範囲１１に記載の動画像配信システム。
【請求項１３】
伝送路を介して動画像の配信を受けて表示する画像表示装置に対して、前記動画像を配信する動画像配信方法であって、
画像を示す画像データを、前記画像表示装置により表示されうる形式の動画像に変換する変換ステップと、
前記変換の結果として得られた動画像を、前記伝送路を介して、前記画像表示装置に対して配信する動画像配信ステップと
を含む動画像配信方法。
【請求項１４】
伝送路を介して動画像の配信を受けて表示する画像表示装置に対して、前記動画像を配信する動画像配信プログラムであって、
画像を示す画像データを、前記画像表示装置により表示されうる形式の動画像に変換する変換ステップと、
前記変換の結果として得られた動画像を、前記伝送路を介して、前記画像表示装置に対して配信する動画像配信ステップと
をコンピュータに実行させる動画像配信プログラム。
【請求項１５】
複数の選択肢を、複数のグループに分けて表示する表示ステップと、
複数の選択用操作のいずれかを受けて、前記複数のグループのいずれかを選択する第１の選択ステップと、
前記複数の選択用操作の他のいずれかを受けて、前記複数のグループに含まれる複数の選択肢のいずれかを選択する第２の選択ステップと
を含む選択方法。
【請求項１６】
前記複数の選択肢は、表示された画像内に含まれ、それぞれ複数の参照先のいずれかを示す
請求の範囲１５に記載の選択方法。
【請求項１７】
前記複数の選択操作は、０〜９の数字と、数字以外の１つ以上の記号を含むＤＴＭＦ(Dial Tone Multi Frequency)操作用のボタンに対する操作であって、
前記第１のステップは、前記記号のボタンに対する操作に応じて、前記複数のグループのいずれかを選択し、
第２の選択ステップは、前記数字のボタンに対する操作に応じて、押下されたボタンに付された数字に対応する選択肢を選択する
請求の範囲１６に記載の選択方法。
【請求項１８】
伝送路を介して動画像の配信を受けて表示する画像表示装置に対して、前記動画像を配信する動画像配信装置であって、
文書データを、前記画像表示装置により表示されうる形式の動画像に変換する変換手段と、
前記変換の結果として得られた動画像を、前記伝送路を介して、前記画像表示装置に対して配信する動画像配信手段と
を有する動画像配信装置。
【請求項１９】
前記文書データがＷＥＢデータである
請求の範囲１８に記載の動画像配信装置。
【発明の詳細な説明】
【技術分野】
【０００１】
本発明は、所望の画像を配信する動画像配信装置およびその方法に関する。
【背景技術】
【０００２】
例えば、特許文献１は、ＨＴＭＬデータの画像を分割して表示する方法を開示する。
また、特許文献２は、移動体端末装置にＨＴＭＬデータの画像を表示する方法を開示する。
しかしながら、いずれの方法も、端末装置において、ＨＴＭＬデータを処理して、画像を生成するためのブラウザなどのソフトウエアが必要とされる。
つまり、例えば、端末間で動画像および音声を伝送できるように構成されたいわゆるテレビ電話機を用いても、このテレビ電話機が、ブラウザとして動作するソフトウエアを実行できなければ、ユーザは、インターネット上のウエブページを見たり、ＷＥＢブラウジングしたりすることはできない。
【特許文献１】特開２００１−１１７５５０号公報
【特許文献２】特開２００２−５５９１２号公報
【発明の開示】
【発明が解決しようとする課題】
【０００３】
本発明は、上述のような背景からなされたものであり、動画像表示が可能な端末装置に、インターネット上の画像を表示できる動画像配信装置およびその方法を提供することを目的とする。
また、本発明は、画像表示が可能だが、ブラウザ機能を有さない電話機を用いて、インターネットをＷＥＢブラウジングできるようにする動画像配信装置およびその方法を提供することを目的とする。
【課題を解決するための手段】
【０００４】
上記目的を達成するために、本発明にかかる動画像配信装置は、伝送路を介して動画像の配信を受けて表示する画像表示装置に対して、前記動画像を配信する動画像配信装置であって、画像を示す画像データを、前記画像表示装置により表示されうる形式の動画像に変換する変換手段と、前記変換の結果として得られた動画像を、前記伝送路を介して、前記画像表示装置に対して配信する動画像配信手段とを有する。【０００５】
また、本発明にかかる画像配信システムは、伝送路を介して動画像の配信を受けて表示する画像表示装置と、画像を示す画像データを、前記画像表示手段により表示されうる形式の動画像に変換する変換手段と、前記変換の結果として得られた動画像を、前記画像表示装置に対して配信する動画像配信手段とを有する動画像配信装置とを有する。【０００６】
また、本発明にかかる動画像配信方法は、伝送路を介して動画像の配信を受けて表示する画像表示装置に対して、前記動画像を配信する動画像配信方法であって、
画像を示す画像データを、前記画像表示装置により表示されうる形式の動画像に変換する変換ステップと、前記変換の結果として得られた動画像を、前記伝送路を介して、前記画像表示装置に対して配信する動画像配信ステップとを含む。【０００７】
また、本発明にかかる動画像配信プログラムは、伝送路を介して動画像の配信を受けて表示する画像表示装置に対して、前記動画像を配信する動画像配信プログラムであって、画像を示す画像データを、前記画像表示装置により表示されうる形式の動画像に変換する変換ステップと、前記変換の結果として得られた動画像を、前記伝送路を介して、前記画像表示装置に対して配信する動画像配信ステップとをコンピュータに実行させる。【０００８】
また、本発明にかかる選択方法は、複数の選択肢を、複数のグループに分けて表示する表示ステップと、複数の選択用操作のいずれかを受けて、前記複数のグループのいずれかを選択する第１の選択ステップと、前記複数の選択用操作の他のいずれかを受けて、前記複数のグループに含まれる複数の選択肢のいずれかを選択する第２の選択ステップとを含む。
【発明の効果】
【０００９】
本発明にかかる動画像配信装置およびその方法によれば、動画像表示が可能な端末装置に、インターネット上の画像を表示できる。
また、本発明にかかる動画像配信装置およびその方法によれば、画像表示が可能だが、ブラウザ機能を有さない電話機を用いて、インターネットをＷＥＢブラウジングできるようにすることができる。
【図面の簡単な説明】
【００１０】
【図１】本発明にかかる動画像配信方法が適用されるネットワークシステムの構成を例示する図である。
【図２】ネットワークシステムにおける動画像の配信の態様を示す図であって、（Ａ）は、テレビ電話システムから、ＷＥＢ閲覧サーバを介して、テレビ電話機に動画像が配信される態様を示し、（Ｂ）は、ＷＥＢサーバから、ＷＥＢ閲覧サーバを介して、ＰＤＡ装置およびＰＣに動画像が配信される態様を示す。
【図３】図１に示したＷＥＢサーバ、ＷＥＢ閲覧サーバ、ＰＤＡ装置およびＰＣのハードウエア構成を例示する図である。
【図４】図１に示したテレビ電話機の構成を例示する図である。
【図５】図１に示したＰＤＡ装置およびＰＣにおいて実行されるクライアントプログラムを示す図である。
【図６】図１に示したＷＥＢ閲覧サーバにおいて実行されるＷＥＢ閲覧プログラムを示す図である。
【図７】図６に示したＷＥＢ閲覧プログラムにより生成され、テレビ電話機の表示装置（図３）に表示される動画像を例示する図であって、（Ａ）は、メニュー画像を示し、（Ｂ）は、メニュー画像に対する選択操作に応じて生成されるＷＥＢページの静止画像を示し、（Ｃ），（Ｄ）は、（Ｂ）に示した静止画像の内、選択操作に応じて実際に表示装置３３２に表示される動画像を示す。
【図８】図１に示したＷＥＢサーバからＷＥＢ閲覧サーバに供給されるＷＥＢデータを例示する図である。
【図９】テレビ電話機に対するユーザの操作に応じて、ＷＥＢ閲覧プログラム（図６）が、表示装置（図３）への動画像の表示範囲を選択する処理を示す図である。
【図１０】テレビ電話機に対するユーザの操作に応じて、ＷＥＢ閲覧プログラム（図６）が、表示装置（図３）への動画像中に表示されたリンクを選択するための処理を示す図である。
【図１１】図１に示したネットワークシステムの全体的な動作（Ｓ１０）を示す通信シーケンス図である。
【発明を実施するための最良の形態】
【００１１】
以下、本発明の実施形態を説明する。【００１２】
［ネットワークシステム１］
図１は、本発明にかかる動画像配信方法が適用されるネットワークシステム１の構成を例示する図である。
図１に示すように、ネットワークシステム１は、ＩＰ通信システム２と、例えば３Ｇ携帯電話用のテレビ電話システム３とが、ＷＥＢ閲覧サーバ４を介して接続されて構成される。
ＩＰ通信システム２は、ＰＤＡ(Personal Digital Assistance)装置２２−１〜２２−ｎと、コンピュータ（ＰＣ）２４−１〜２４−ｎと、ＷＥＢページのデータ（ＷＥＢデータ；図８を参照して後述）を供給するＷＥＢサーバ２６−１〜２６−ｎが、ＬＡＮ、ＷＡＮおよびインターネットなど、ＴＣＰ／ＩＰ(Transmission Control Protocol/Internet Protocol)によりデータを伝送するＩＰネットワーク２０を介して接続されて構成される。
テレビ電話システム３は、テレビ電話機３２−１〜３２−ｎが、テレビ電話機３２−ｉ，３２−ｊの間、および、テレビ電話機３２−ｉとＷＥＢ閲覧サーバ４との間を、回線交換により接続する携帯電話ネットワーク３０から構成される。【００１３】
なお、以下、ｍ，ｎは１以上の整数を示し、全てのｍが同じ数を示すとは限らず、また、全てのｎが同じ数を示すとは限らない。
また、ｉ，ｊは、１〜ｎの整数であり、一般に、ｉ≠ｊである。
また、ＰＤＡ装置２２−１〜２２−ｎなど、複数あり得る構成部分のいずれかが、特定せずに示されるときには、単に、ＰＤＡ装置２２などと略記されることがある。
また、ＰＤＡ装置２２など、ネットワークシステム１において情報処理あるいは通信の主体となりうる構成部分を、ノードと総称することがある。
また、以下、各図において、実質的に同じ構成部分には、同じ符号が付される。【００１４】
図２は、ネットワークシステム１における動画像の配信の態様を示す図であって、（Ａ）は、ＷＥＢサーバ２６から、ＷＥＢ閲覧サーバ４を介して、テレビ電話機３２に動画像が配信される態様を示し、（Ｂ）は、ＷＥＢサーバ２６から、ＷＥＢ閲覧サーバ４を介して、ＰＤＡ装置２２およびＰＣ２４に動画像が配信される態様を示す。
但し、図２（Ｂ）に示した２つのＩＰネットワーク２０−１，２０−２は、同一のＩＰネットワーク２０であってもよい。
これらの構成部分により、図２（Ａ）に示すように、ネットワークシステム１においては、ブラウザ機能を有さないテレビ電話機３２に対するユーザの操作に応じて、例えば、ＨＴＭＬ(HyperText Markup Language)により記述されたＷＥＢデータが、ＷＥＢサーバ２６からＷＥＢ閲覧サーバ４に対して、ＨＴＴＰ(HyperText Transfer Protocol)により供給される。
供給されたＷＥＢデータは、ＷＥＢ閲覧サーバ４により、例えば、テレビ電話機３２に表示可能なＭＰＥＧ(Moving Picture Experts Group)形式の動画像データに変換される。
さらに、この動画像データが、ＷＥＢ閲覧サーバ４とテレビ電話機３２との間に回線交換により設定された伝送路を介して、テレビ電話機３２に配信され、表示される。
つまり、ネットワークシステム１においては、動画像表示機能および音声送信機能を有するが、ブラウザ機能を有さないテレビ電話機３２のユーザが、インターネット上のＷＥＢページの画像を閲覧することができる。【００１５】
なお、図２（Ｂ）に示すように、ネットワークシステム１においては、動画像を表示可能なＰＤＡ装置２２およびＰＣ２４に対するユーザの操作に応じて、ＷＥＢページのテキストや画像等を含む文書が動画像に変換され、ＷＥＢ閲覧サーバ４とＰＤＡ装置２２およびＰＣ２４との間に張られたセッションを用いて、蓄積交換によりテレビ電話機３２に配信され、表示される。
以下、説明の具体化および明確化のために、特記なき限り、下記具体例（１）〜（４）についての説明がなされる。
（１）操作のためのＤＴＭＦ(Dial Tone Multi Frequency)信号が、テレビ電話機３２からＷＥＢ閲覧サーバ４に対して送信される。
（２）テレビ電話機３２からのＤＴＭＦ信号を用いた操作に応じて、図２（Ａ）に示したように、ＷＥＢサーバ２６から、ＷＥＢ閲覧サーバ４を介して、テレビ電話機３２に動画像が配信される。
（３）テレビ電話機３２の間、および、テレビ電話機３２とＷＥＢ閲覧サーバ４との間では、ＭＰＥＧ形式以外の動画像データも伝送されうるが、以下、これらの間でＭＰＥＧ形式の動画像データが伝送される。
（４）ＷＥＢ閲覧サーバ４においては、様々な形式で記述された制御が実行されうるが、以下、ＷＥＢ閲覧サーバ４において、ＶＸＭＬで記述された制御が実行される。【００１６】
［ハードウエア］
以下、ネットワークシステム１の各構成部分のハードウエア構成を説明する。
図３は、図１に示したＷＥＢサーバ２６、ＷＥＢ閲覧サーバ４、ＰＤＡ装置２２およびＰＣ２４のハードウエア構成を例示する図である。
図３に示すように、ＷＥＢサーバ２６、ＷＥＢ閲覧サーバ４、ＰＤＡ装置２２およびＰＣ２４は、ＣＰＵ１２２およびメモリ１２４などを含む本体１２０、キーボードおよび表示装置などを含む入出力装置１２６、ＩＰネットワーク２０あるいは携帯電話ネットワーク３０を介して、他のノードとの通信を行うネットワークインターフェース（ＩＦ）１２８、および、ＣＤ装置およびＨＤＤ装置など、記録媒体１３２に対するデータの記録および再生を行う記録装置１３０から構成される。
つまり、ＷＥＢサーバ２６、ＷＥＢ閲覧サーバ４、ＰＤＡ装置２２およびＰＣ２４は、情報処理および他のノードとの通信が可能なコンピュータとしてのハードウエア構成部分を有している。【００１７】
［テレビ電話機３２］
以下、テレビ電話機３２を説明する。
図４は、図１に示したテレビ電話機３２の構成を例示する図である。
図４に示すように、テレビ電話機３２は、アンテナ３２０、無線ＩＦ３２２、音声・動画像ＣＯＤＥＣ３３０、ＬＣＤなどの表示装置３３２、カメラ３３４、マイク３３６、スピーカ３３８、制御部３４０、テンキー３４２およびＤＴＭＦ発生部３４４から構成される。
なお、テレビ電話機３２の各構成部分は、専用のハードウエアによって実現されても、ＤＳＰ(Digital Signal Processor)などの上で実行されるソフトウエアによって実現されてもよい。【００１８】
アンテナ３２０および無線ＩＦ３２２は、携帯電話ネットワーク３０との間で回線設定のために必要な信号の伝送を行う。
また、アンテナ３２０および無線ＩＦ３２２は、携帯電話ネットワーク３０に設定された伝送路を介して、他のテレビ電話機３２またはＷＥＢ閲覧サーバ４との間で、音声、動画像およびＤＴＭＦ信号の伝送を行う。
表示装置３３２は、例えば、液晶表示装置であって、音声・動画像ＣＯＤＥＣ３３０により生成された動画像を表示して、ユーザに示す。
カメラ３３４は、例えば、ＣＣＤカメラであって、ユーザおよび風景などを撮影して動画像を生成し、音声・動画像ＣＯＤＥＣ３３０に対して出力する。
マイク３３６は、ユーザの声などの音声を受け入れて、音声・動画像ＣＯＤＥＣ３３０に対して出力する。
スピーカ３３８は、音声・動画像ＣＯＤＥＣ３３０から入力される音声、例えば、通話相手の声あるいはＷＥＢページに付随する音声を出力する。【００１９】
制御部３４０は、ＣＰＵおよびメモリ（図示せず）などを含み、プログラム（図示せず）を実行して、携帯電話ネットワーク３０との間の通信のための処理、および、テレビ電話機３２の各構成部分の制御のための処理などを行う。
テンキー３４２は、ＤＴＭＦによる信号入力操作に適した数字０〜９および記号”＊”，”＃”などのボタンを有し、ユーザの操作を受け入れて、ＤＴＭＦ発生部３４４に対して出力する。
ＤＴＭＦ発生部３４４は、テンキー３４２のボタンに対するユーザの操作に応じて、数字０〜９および記号”＊”，”＃”それぞれに対応するＤＴＭＦ信号を発生し、音声・動画像ＣＯＤＥＣ３３０に対して出力する。【００２０】
音声・動画像ＣＯＤＥＣ３３０は、他のテレビ電話機３２およびＷＥＢ閲覧サーバ４から、例えばＭＰＥＧ形式で送られてきた動画像データを、無線ＩＦ３２２を介して受けてデコードし、表示装置３３２に表示する。
また、音声・動画像ＣＯＤＥＣ３３０は、他のテレビ電話機３２およびＷＥＢ閲覧サーバ４から送られてきた音声データをデコードし、スピーカ３３８から出力する。
また、音声・動画像ＣＯＤＥＣ３３０は、カメラ３３４から入力される動画像をＭＰＥＧ形式の動画像データにエンコードし、無線ＩＦ３２２に対して出力する。
また、音声・動画像ＣＯＤＥＣ３３０は、マイク３３６から入力される音声、および、ＤＴＭＦ発生部３４４から入力されるＤＴＭＦ信号を音声データにエンコードし、無線ＩＦ３２２に対して出力する。
つまり、テレビ電話機３２は、他のテレビ電話機３２およびＷＥＢ閲覧サーバ４との間で、動画像、音声およびＤＴＭＦ信号の伝送が可能ないわゆるテレビ電話としての構成部分を有している。【００２１】
［ソフトウエア］
以下、ネットワークシステム１の各構成部分において実行されるソフトウエアを説明する。
図５は、図１に示したＰＤＡ装置２２およびＰＣ２４において実行されるクライアントプログラム２２０を示す図である。
図５に示すように、クライアントプログラム２２０は、ＰＤＡ装置２２およびＰＣ２４にインストールされたオペレーティングシステム（ＯＳ）ＯＳ２２２、ユーザインターフェース（ＵＩ）部２２４、動画像処理部２２６、操作信号作成部２２８、ワードプロセッサなどの様々なアプリケーション部２３０−１〜２３０−ｎおよび通信処理部２３２から構成される。
クライアントプログラム２２０は、例えば、記録媒体１３２（図３）を介してＰＤＡ装置２２およびＰＣ２４に供給され、メモリ１２４にロードされ、ＣＰＵ１２２により、ＰＤＡ装置２２およびＰＣ２４のハードウエアを、ＯＳ２２２を介して具体的に利用して実行される（以下のプログラムについて同様）。【００２２】
クライアントプログラム２２０は、これらの構成部分により、ＩＰネットワーク２０を介して、ユーザによる入出力装置１２６（図３）のキーボードに対する操作などにより入力され、テレビ電話機３２におけるＤＴＭＦ信号に対応する操作用の信号を、ＷＥＢ閲覧サーバ４に対して送信する。
また、クライアントプログラム２２０は、ＷＥＢ閲覧サーバ４から送られてきたＭＰＥＧ形式の動画像を、入出力装置１２６の表示装置に表示する。【００２３】
クライアントプログラム２２０において、ＵＩ部２２４は、入出力装置１２６に対するユーザの操作を受け入れ、アプリケーション部２３０に対して出力し、また、クライアントプログラム２２０の他の構成部分の処理を制御する。
また、ＵＩ部２２４は、動画像処理部２２６によりデコードされた動画像データを、入出力装置１２６に対して表示する。
操作信号作成部２２８は、ＵＩ部２２４が受け入れたユーザの操作に従って、テレビ電話機３２のＤＴＭＦ信号に対応する操作用信号を作成し、通信処理部２３２に対して出力する。
通信処理部２３２は、他のノードとの通信のために必要な処理を行い、ＷＥＢ閲覧サーバ４からＩＰネットワーク２０を介してＭＰＥＧ形式の動画像データを受信し、動画像処理部２２６に対して出力する。
また、通信処理部２３２は、操作信号作成部２２８から入力される操作用信号を、ＩＰネットワーク２０を介してＷＥＢ閲覧サーバ４に対して送信する。
動画像処理部２２６は、通信処理部２３２から入力されたＭＰＥＧ形式の動画像データをデコードし、ＵＩ部２２４に対して出力する。【００２４】
図６は、図１に示したＷＥＢ閲覧サーバ４において実行されるＷＥＢ閲覧プログラム４０を示す図である。
図６に示すように、ＷＥＢ閲覧プログラム４０は、携帯電話ＩＦ４００、メディア処理部４２およびレンダリング処理部４８から構成される。
メディア処理部４２は、音声認識部４２０、応答制御部４２２、動画像配信部４２４、操作制御部４３０およびコンテンツ処理部４６０から構成される。
操作制御部４３０は、ＶＸＭＬ(Voice eXtensible Markup Language)制御部４３２、メニュー表示部４３４、画像呼出部４３６および画像データベース（ＤＢ）４３８から構成される。
コンテンツ処理部４６０は、コンテンツ作成部４６２、画像移動部４６４、リンク表示部４６６およびメディア変換部４６８から構成される。
レンダリング処理部４８は、ＷＥＢアクセス部４８０、画像作成部４８２、リンク処理部４８４およびセッション処理部４８６から構成される。【００２５】
ＷＥＢ閲覧プログラム４０は、これらの構成部分により、ＷＥＢページの内容を示し、ＨＴＭＬを用いて記述されたテキストデータおよび画像データなどを含むＷＥＢデータから、ＪＰＥＧ(Joint Photographic Experts Group)などの形式の静止画像データを作成し、さらに、この静止画像データを、テレビ電話機３２への表示に適したＭＰＥＧ形式に変換して、ＰＤＡ装置２２、ＰＣ２４およびテレビ電話機３２に配信する。
また、ＷＥＢ閲覧プログラム４０は、テレビ電話機３２などから、操作のための音声（ユーザの声あるいはＤＴＭＦ信号）を受けて、この音声が示す情報に従って、テレビ電話機３２などを用いたＷＥＢページの閲覧を実現するための処理を行う。【００２６】
ＷＥＢ閲覧プログラム４０において、携帯電話ＩＦ４００と、メディア処理部４２の動画像配信部４２４、音声認識部４２０および応答制御部４２２とは、例えば、ＳＩＰ(Session Initiation Protocol)により接続される。
携帯電話ＩＦ４００は、テレビ電話機３２との間で、携帯電話ネットワーク３０上で回線交換により設定された伝送路を介して動画像データおよび音声データを伝送する。
つまり、携帯電話ＩＦ４００は、以下の処理（１）〜（３）を行う。
（１）携帯電話ネットワーク３０（図１）と、メディア処理部４２との間のプロトコル変換、
（２）ＭＰＥＧ形式の動画像データおよび音声データのテレビ電話機３２に対する送信、
（３）テレビ電話機３２からの音声およびＤＴＭＦ信号の音声データの応答制御部４２２への出力、および、
（４）テレビ電話機３２からのＭＰＥＧ形式の動画像データの受信（これに対応して、ＷＥＢ閲覧プログラム４０に、動画像および音声を記録する構成部分を追加してもよい）。【００２７】
応答制御部４２２は、ＤＴＭＦデコーダとして機能し、テレビ電話機３２から操作のためにＤＴＭＦ信号の音声データが送られてくるときには、テレビ電話機３２のユーザのテンキー３４２に対する操作に応じて、数字０〜９および記号"＊"，"＃"のいずれかに対応する入力値を、ＶＸＭＬ制御部４３２に対して出力する。
テレビ電話機３２から操作のためにユーザの声の音声データが送られてくるときには、音声認識部４２０は、応答制御部４２２を介して入力されるこのユーザの声を認識して、数字０〜９、記号"＊"，"＃"などに対応する入力値を、応答制御部４２２を介して、ＶＸＭＬ制御部４３２に対して出力する。
動画像配信部４２４は、ＭＰＥＧ形式の動画像データを、携帯電話ＩＦ４００および携帯電話ネットワーク３０を介して、テレビ電話機３２に配信する。【００２８】
ＶＸＭＬ制御部４３２に対しては、ＶＸＭＬにより記述され、応答制御部４２２から入力される入力値と、入力値に応じて実行されるべき処理とを対応付けるルールが設定される。
ＶＸＭＬ制御部４３２は、このルールに従って、入力値に応じて実行すべき処理を選択し、メニュー表示部４３４、コンテンツ処理部４６０およびレンダリング処理部４８を制御して、選択した処理を実現させる。【００２９】
図７は、図６に示したＷＥＢ閲覧プログラム４０により生成され、テレビ電話機３２の表示装置３３２（図３）に表示される動画像を例示する図であって、（Ａ）は、メニュー画像を示し、（Ｂ）は、メニュー画像に対する選択操作に応じて生成されるＷＥＢページの静止画像を示し、（Ｃ），（Ｄ）は、（Ｂ）に示した静止画像の内、選択操作に応じて実際に表示装置３３２に表示される動画像を示す。
画像ＤＢ４３８は、図７（Ａ）に例示したメニュー画像の作成に用いられる動画像を記憶する。
なお、図７（Ａ）には、メニュー画面が、テレビ電話機３２に配信される動画像の題名（「天気予報」）と、その選択肢（Ａ地方〜Ｉ地方）と、選択肢を選択するための操作（Ａ地方〜Ｉ地方の天気予報のＷＥＢページのＵＲＬに対応付けられたテレビ電話機３２のテンキー３４２の「番号１〜９」の押下）とを対応付けて示す場合が例示されている。【００３０】
画像呼出部４３６は、メニュー表示部４３４からの要求に応じて、画像ＤＢ４３８に記憶された動画像を呼び出し、メニュー表示部４３４に対して出力する。
メニュー表示部４３４は、画像呼出部４３６に対して、メニュー画像を作成するために用いられる動画像の呼び出しを要求する。
メニュー表示部４３４は、要求に応じて画像呼出部４３６から得られた動画像を用いてメニューの動画像を作成し、テレビ電話機３２の表示装置３３２に表示する。【００３１】
レンダリング処理部４８のセッション処理部４８６は、テレビ電話機３２のユーザが所望するＷＥＢデータを供給するＷＥＢサーバ２６とＷＥＢ閲覧サーバ４との間の通信セッションを設定するための処理を行う。
また、セッション処理部４８６は、ＷＥＢ閲覧サーバ４に対するアクセスのために必要とされるテレビ電話機３２のユーザの情報、および、テレビ電話機３２への動画像の配信のために必要とされる情報（端末の識別ＩＤ、処理対象のＵＲＬ、ＷＥＢページの画像、リンク情報、現在表示している画像領域のＸ，Ｙ，Ｈ，Ｗ座標、拡大縮小率および表示モードなど）を記憶する。
セッション処理部４８６は、記憶したこれらの情報を、コンテンツ処理部４６０に対して出力する。【００３２】
図８は、図１に示したＷＥＢサーバ２６からＷＥＢ閲覧サーバ４に供給されるＷＥＢデータを例示する図である。
ＷＥＢアクセス部４８０は、テレビ電話システム３８６により設定された通信セッションを介して、ＷＥＢサーバ２６に対してアクセスし、図８に示すようなＷＥＢデータを取得し、レンダリング処理部４８の他の構成部分に対して出力する。
なお、ＷＥＢデータは、図８に示すように、テキストデータおよびＪＰＥＧ形式・ＧＩＦ形式など、画像としてテレビ電話機３２に表示されうる画像データ、および、ＷＥＢデータからリンクされているインターネットのリソースのロケーション（例えばＵＲＬ；Uniform Resource Locator）などを含む。
また、ＷＥＢアクセス部４８０は、リンク先のウエブサーバから、ＭＰＥＧ方式の動画像データが供給されるときには、供給された動画像データを、レンダリング処理部４８の他の構成部分による処理が行われない状態で、コンテンツ処理部４６０のコンテンツ作成部４６２に対して出力する。【００３３】
画像作成部４８２は、ＷＥＢアクセス部４８０から入力されたＷＥＢデータ（図８）を、テレビ電話機３２の表示装置３３２の表示面積（ｃ×ｄ画素）よりも広い面積（ａ×ｂ画素）の静止画像を示す静止画像データを作成する。
具体的には、例えば、テレビ電話機３２のユーザが、図７（Ａ）に示したメニューを見て、テンキー３４２（図３）の番号１のボタンを押下して、Ａ地方の天気予報を選択する操作を行ったときには、画像作成部４８２は、図７（Ｂ）に示すように、この操作により指定されるＵＲＬを用いて、ＷＥＢサーバ２６からＡ地方の天気予報を示すＷＥＢデータを得て、得たＷＥＢデータから静止画像データを生成する。
画像作成部４８２は、生成した静止画像データを、コンテンツ処理部４６０に対して出力する。
リンク処理部４８４は、ＷＥＢデータから、各ＷＥＢデータに含まれるリンクを抽出し、各リンクのＵＲＬと、各ＷＥＢデータにおけるリンクの表示範囲の座標とを求め、コンテンツ処理部４６０に対して出力する。【００３４】
コンテンツ処理部４６０のメディア変換部４６８は、ＰＤＦ形式のデータなど、ＷＥＢデータ以外で、テレビ電話機３２に表示されるべきデータを、ＷＥＢページ（図７（Ｂ），図８）に対応する静止画像データに変換する。
さらに、メディア変換部４６８は、ＷＥＢページに対応する静止画像データを、ＭＰＥＧ形式の動画像データに変換し、動画像配信部４２４に対して出力する。
リンク表示部４６６は、レンダリング処理部４８のリンク処理部４８４から入力される各リンクの表示範囲それぞれと、各リンクを選択するための操作とを対応付けて静止画像により表示するためのリンク情報を作成する。
リンク表示部４６６は、各リンクの表示範囲を、例えば、ＷＥＢページ中に赤い枠で示し、各リンクを選択するための操作を、押下すべきテンキー３４２のボタンの番号あるいは記号により示すためのリンク表示情報を作成する。【００３５】
画像移動部４６４は、ＷＥＢページの内、テレビ電話機３２の表示装置３３２に表示されるべき領域を移動させたり、図７（Ｂ）から図７（Ｄ）への方向の点線で示すように拡大し、あるいは、図７（Ｄ）から図７（Ｂ）への方向の点線で示すように縮小するための処理を行う。
コンテンツ作成部４６２は、図７（Ｂ）に示すように、画像作成部４８２またはメディア変換部４６８において作成された静止画像データに、リンク情報およびリンク表示情報を用いて、リンクの枠線などを描画する。
さらに、コンテンツ作成部４６２は、レンダリング処理部４８のセッション処理部４８６から入力される情報に従って、図７（Ｃ）に示すように、テレビ電話機３２の表示装置３３２に実際に表示される領域を切り出す。【００３６】
さらに、コンテンツ作成部４６２は、必要に応じて、図７（Ｄ）に示すように、切り出した画像の一部または全部を拡大あるいは縮小する処理を行って、テレビ電話機３２に表示すべきコンテンツを示すＪＰＥＧ形式の静止画像データを作成し、メディア変換部４６８に対して出力する。
切り出された画像が拡大されるか、縮小されるかは、切り出された画像の領域が、テレビ電話機３２の表示装置３２２の画面のサイズ（ＱＣＩＦ）より小さいか、大きいかによって決まる。
つまり、切り出された画像の領域は、表示装置３２２の画面のサイズよりも大きいときには拡大され、表示装置３２２の画面のサイズよりも小さいときには拡大される。
なお、コンテンツ作成部４６２は、ＷＥＢページに、ＨＴＭＬのＷＥＢページではなく、ＭＰＥＧ方式の動画像がリンクされており、ＷＥＢアクセス部４８０から動画像データが入力されたときには、この動画像データを、動画像配信部４２４に対して出力する。
このように、コンテンツ作成部４６２から、動画像配信部４２４を介して、テレビ電話機３２に送信された動画像データは、テレビ電話機３２の表示装置３３２に、そのまま表示されうる。【００３７】
［表示範囲およびリンクの選択］
以下、テレビ電話機３２に対するユーザの操作に応じて、ＷＥＢ閲覧プログラム４０（図６）が、表示装置３３２（図３）への動画像の表示範囲を選択し、動画像中に表示されたリンクを選択するための処理を説明する。
図９は、テレビ電話機３２に対するユーザの操作に応じて、ＷＥＢ閲覧プログラム４０（図６）が、表示装置３３２（図３）への動画像の表示範囲を選択する処理を示す図である。【００３８】
テレビ電話機３２からの着信を受けて、操作制御部４３０が、メニュー画面をテレビ電話機３２の表示装置３３２に表示すると、テレビ電話機３２のユーザは、メニュー画面中の選択肢に対応付けられた番号を選択する。
ユーザが選択した番号は、ＤＴＭＦ信号として応答制御部４２２において識別され、ＶＸＭＬ制御部４３２に対する入力値となる。
操作制御部４３０は、レンダリング処理部４８を制御して、ユーザが指定した番号に対応するＵＲＬを用いて、ＷＥＢサーバ２６（図１）からＷＥＢデータを読み出させる。
レンダリング処理部４８は、読み出したＷＥＢデータから、図９に示すような静止画像データを作成する。
コンテンツ処理部４６０は、作成された静止画像データの内、まず、点線で示す表示範囲を画像として切り出し、動画データに変換し、動画像として、テレビ電話機３２に配信する。【００３９】
図９に示した状態では、操作制御部４３０は、例えば、テレビ電話機３２で番号２が押下されたときには、表示範囲を画面上方に移動させ、番号８が押下されたときには、表示範囲を画面上方に移動させ、番号６が押下されたときには、表示範囲を右に移動させ、番号４が押下されたときには、表示範囲を左に移動させるように、コンテンツ処理部４６０を制御する。
また、操作制御部４３０は、例えば、テレビ電話機３２で番号１が押下されたときには、表示範囲の動画像を縮小し、番号３が押下されたときには、表示範囲の動画像を拡大するように、コンテンツ処理部４６０を制御する。
コンテンツ処理部４６０は、この制御に従って、表示範囲を移動させ、あるいは、拡大・縮小させたコンテンツを作成し、動画像配信部４２４を介して、テレビ電話機３２に配信する。
なお、図９に示した状態では、ユーザは、リンクの選択をすることはできない。【００４０】
図１０は、テレビ電話機３２に対するユーザの操作に応じて、ＷＥＢ閲覧プログラム４０（図６）が、表示装置３３２（図３）への動画像中に表示されたリンクを選択するための処理を示す図である。
図９に示した表示範囲を移動させ、拡大・縮小させるための状態で、ユーザが、例えば、テレビ電話機３２のテンキー３４２の番号０を押下すると、操作制御部４３０は、図１０に示すリンクを選択するための状態に移行する。
また、図１０に示した状態で、再度、テレビ電話機３２のテンキー３４２の番号０を押下すると、操作制御部４３０は、図９に示した状態に移行する。
つまり、テレビ電話機３２のユーザは、番号０を押下して、図９に示した状態と、図１０に示した状態とを、交互に選択することができる。【００４１】
図１０に示した状態において、コンテンツ処理部４６０は、例えば、リンクを１〜９個ずつグループ分けし、それぞれにグループ分けされたリンクを示す画像と、そのリンクを選択するための番号とが対応付けられたリンク領域を表示するリンク画像を生成する。
コンテンツ処理部４６０は、表示範囲に、このリンク画像を含む動画像データを、動画像配信部４２４を介して、テレビ電話機３２に配信する。
図１０に示した状態で、例えば、ユーザが、テレビ電話機３２のテンキー３４２の記号”＊”を押下すると、操作制御部４３０は、図１０に点線の矢印で示すように、リンク領域の内の１つを、順次、選択し、選択したリンク領域を強調表示する。【００４２】
さらに、例えば、ユーザが、テレビ電話機３２のテンキー３４２の番号のいずれかを押下して、選択されたリンク領域に含まれるリンクのいずれかを選択すると、操作制御部４３０は、選択されたリンクが示すＵＲＬを用いて、ＷＥＢサーバ２６から、ＷＥＢデータを取得するように、レンダリング処理部４８を制御する。
レンダリング処理部４８は、この制御に従って、ＷＥＢサーバ２６から、ユーザが所望するＷＥＢデータを取得する。
コンテンツ処理部４６０は、レンダリング処理部４８が取得したＷＥＢデータから、コンテンツを作成し、動画像配信部４２４を介して、テレビ電話機３２に動画像データとして配信する。【００４３】
［ネットワークシステム１の全体的な動作］
以下、ネットワークシステム１の全体的な動作を説明する。
図１１は、図１に示したネットワークシステム１の全体的な動作（Ｓ１０）を示す通信シーケンス図である。
図１１に示すように、ステップ１００（Ｓ１００）において、ユーザは、テレビ電話機３２を操作し、ＷＥＢ閲覧サーバ４（ＷＥＢ閲覧プログラム４０；図６）に対する発呼を行う。
携帯電話ネットワーク３０は、この発呼に応じて、テレビ電話機３２とＷＥＢ閲覧サーバ４（ＷＥＢ閲覧プログラム４０）との間を回線接続する。【００４４】
ステップ１０２（Ｓ１０２）において、ＷＥＢ閲覧プログラム４０の携帯電話ＩＦ４００は、メディア処理部４２に対して、テレビ電話機３２からの接続を通知し、テレビ電話機３２とメディア処理部４２とは通話状態となり、テレビ電話機３２とメディア処理部４２との間で、動画像データおよび音声データの伝送が可能となる。
ステップ１０４（Ｓ１０４）において、メディア処理部４２は、テレビ電話機３２に対して、初期画像として、例えば、メニュー画像の動画像データを送信する。
テレビ電話機３２は、メディア処理部４２からのメニュー画像を、表示装置３３２（図３）に表示する。【００４５】
ステップ１０６（Ｓ１０６）において、例えば、ユーザが、表示装置３３２に表示されたメニュー画像中の選択肢いずれかを示すテンキー３４２の番号のボタンを押下すると、テレビ電話機３２は、押下されたボタンを示すＤＴＭＦ信号の音声データを、メディア処理部４２に対して送信する。
ステップ１０８（Ｓ１０８）において、メディア処理部４２は、ＤＴＭＦ信号の音声データを識別し、識別結果に応じて、レンダリング処理部４８を制御し、押下された番号に対応するＵＲＬを用いて、ＷＥＢサーバ２６から、ＷＥＢデータを取得させる。【００４６】
ステップ１１０（Ｓ１１０）において、レンダリング処理部４８は、ＷＥＢサーバ２６に対して、ユーザ所望のＷＥＢデータを要求する。
ステップ１１２（Ｓ１１２）において、レンダリング処理部４８は、ＷＥＢサーバ２６からＷＥＢデータを取得する。
なお、Ｓ１０８の処理において押下された番号に対応するＵＲＬが、ＭＰＥＧ方式の動画像データへのリンクであったときには、レンダリング処理部４８は、この動画像データを取得する。【００４７】
ステップ１１４（Ｓ１１４）において、レンダリング処理部４８は、WEBページの静止画像そのリンクに関する情報を作成し、静止画像と、そのリンクを示す情報とを、メディア処理部４２に対して出力する。
但し、Ｓ１１２の処理において、レンダリング処理部４８が、動画像を取得したときには、レンダリング処理部４８は、この動画像データを処理せずに、メディア処理部に対して出力する。
なお、表示範囲の移動・拡大・縮小およびリンク領域の表示を行うための処理は、この段階で行われる。
ステップ１１６（Ｓ１１６）において、メディア処理部４２は、ユーザの操作に応じて、図９，図１０に示したように状態遷移を行って、テレビ電話機３２に配信する。
以下、Ｓ１００〜Ｓ１１６の処理が繰り返され、ＷＥＢ閲覧サーバ４により、テレビ電話機３２のユーザに、ＷＥＢページの閲覧機能が提供される。
【産業上の利用可能性】
【００４８】
本発明は、動画像データの配信のために利用可能である。
【符号の説明】
【００４９】
１・・・ネットワークシステム，
２・・・ＩＰ通信システム，
２０・・・ＩＰネットワーク，
２２・・・ＰＤＡ装置，
１２０・・・本体，
１２２・・・ＣＰＵ，
１２４・・・メモリ，
１２６・・・入出力装置，
１２８・・・ネットワークＩＦ，
１３０・・・記録装置，
１３２・・・記録媒体，
２２０・・・クライアントプログラム，
２２２・・・ＯＳ，
２２４・・・ＵＩ部，
２２６・・・動画像処理部，
２２８・・・操作信号作成部，
２３０・・・アプリケーション部，
２４・・・ＰＣ，
２６・・・ＷＥＢサーバ，
３・・・テレビ電話システム，
３０・・・携帯電話ネットワーク，
３２・・・テレビ電話機，
３２０・・・アンテナ，
３２２・・・無線ＩＦ，
３３０・・・音声・動画像ＣＯＤＥＣ，
３３２・・・表示装置，
３３４・・・カメラ，
３３６・・・マイク，
３３８・・・スピーカ，
３４０・・・制御部，
３４２・・・テンキー，
３４４・・・ＤＴＭＦ発生部，
４・・・ＷＥＢ閲覧サーバ，
４０・・・ＷＥＢ閲覧プログラム，
４００・・・携帯電話ＩＦ，
４２・・・メディア処理部，
４２０・・・音声認識部，
４２２・・・応答制御部，
４２４・・・動画像配信部，
４３０・・・操作制御部，
４３２・・・ＶＸＭＬ制御部，
４３４・・・メニュー表示部，
４３６・・・画像呼出部，
４３８・・・画像ＤＢ，
４６０・・・コンテンツ処理部，
４６２・・・コンテンツ作成部，
４６４・・・画像移動部，
４６６・・・リンク表示部，
４６８・・・メディア変換部，
４８・・・レンダリング処理部，
４８０・・・ＷＥＢアクセス部，
４８２・・・画像作成部，
４８４・・・リンク処理部，
４８６・・・セッション処理部，
【図１】
2007034550.tif 000002
【図２】
2007034550.tif 000003
【図３】
2007034550.tif 000004
【図４】
2007034550.tif 000005
【図５】
2007034550.tif 000006
【図６】
2007034550.tif 000007
【図７】
2007034550.tif 000008
【図８】
2007034550.tif 000009
【図９】
2007034550.tif 000010
【図１０】
2007034550.tif 000011
【図１１】
2007034550.tif 000012
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
伝送路を介して動画像の配信を受けて、所定の広さの画面に表示する画像表示装置に対して、前記動画像を配信する動画像配信装置であって、
静止画像または動画像またはこれらのいずれかを含み、前記画像表示装置の画面よりも広い画像を示す画像データから、前記画像表示装置の画面に対応する広さの画像を示し、前記画像表示装置により表示されうる形式の動画像を生成する動画像生成手段と、
前記生成された動画像を、前記伝送路を介して、前記画像表示装置に対して配信する動画像配信手段と
を有する動画像配信装置。
【請求項２】
前記画像表示装置は、それぞれ情報を表し、選択可能な複数の音声を、前記伝送路を介して送信し、
前記送信された音声を識別して、選択された音声が表す情報を示す識別データを作成する音声識別手段と、
前記作成された識別データに基づいて、前記画像表示装置の画面よりも広い画像を示す画像データを供給する画像供給手段と
をさらに有し、
前記動画像生成手段は、前記作成された識別データに基づいて、前記供給された画像データを、前記画像表示装置の画面よりも広い画像の内、前記画像表示装置の画面に表示される範囲を示し、前記画像表示装置により表示されうる形式の動画像に変換する
請求の範囲１に記載の動画像配信装置。
【請求項３】
前記画像表示装置は、前記伝送路を介して、ＤＴＭＦ（Ｄｉａｌ  Ｔｏｎｅ  Ｍｕｌｔｉ  Ｆｒｅｑｕｅｎｃｙ）信号を、前記選択可能な音声として送信し、
前記音声識別手段は、前記送信されたＤＴＭＦ信号を識別して、前記ＤＴＭＦ信号により表される情報を示す識別データを作成する
請求の範囲２に記載の動画像配信装置。
【請求項４】
前記画像は、１つ以上の参照画像を示す参照画像データと対応付けられ、前記参照画像データそれぞれは、前記複数の音声のいずれかが表す情報と対応付けられ、
前記画像供給手段は、前記１つ以上の参照画像データに対応付けられた情報を示す参照用画像を含む前記画像を示す画像データを供給し、
前記音声識別手段は、前記画像表示装置に表示された画像に含まれる参照用画像に対する選択に応じて送信された音声を識別して、前記識別データを作成し、
前記作成された識別データに基づいて、前記参照画像データを供給する参照画像供給手段
をさらに有し、
前記動画像生成手段は、前記供給された参照画像データを、前記画像データとして、前記画像表示装置により表示されうる形式の動画像に変換する
請求の範囲２に記載の動画像配信装置。
【請求項５】
前記参照画像データは、所定の供給元から供給され、
前記参照画像供給手段は、前記作成された識別データに基づいて、前記供給元から、前記参照画像データを取得する
請求の範囲４に記載の動画像配信装置。
【請求項６】
前記参照画像データは、ＷＥＢデータであって、前記所定の供給元は、前記ＷＥＢデータを供給するＷＥＢサーバに付されたＵＲＬ（Ｕｎｉｆｏｒｍ  Ｒｅｓｏｕｒｃｅ  Ｌｏｃａｔｏｒ）である
請求の範囲５に記載の動画像配信装置。
【請求項７】
前記画像供給手段は、前記画像として、前記画像表示装置の画面よりも広い静止画像のみを含む画像を示す前記画像データを供給し、
前記動画像生成手段は、前記画像表示装置の画面よりも広い静止画像のみを含む画像を示す画像データから、前記画像表示装置の画面に対応する広さの静止画像を示し、前記画像表示装置により表示されうる形式の動画像を生成する
請求の範囲１に記載の動画像配信装置。
【請求項８】
前記参照画像供給手段は、ＨＴＭＬ（ＨｙｐｅｒＴｅｘｔ  Ｍａｒｋｕｐ  Ｌａｎｇｕａｇｅ）を用いて記述された前記参照画像データを供給し、
前記画像供給手段は、前記ＨＴＭＬを用いて記述された参照画像データから、前記画像データを作成する
請求の範囲４に記載の動画像配信装置。
【請求項９】
前記画像表示装置は、ＭＰＥＧ（Ｍｏｖｉｎｇ  Ｐｉｃｔｕｒｅ  Ｅｘｐｅｒｔｓ  Ｇｒｏｕｐ）形式で動画像の配信を受けて表示し、
前記動画像生成手段は、前記ＨＴＭＬを用いて記述された参照画像データから作成された前記画像データを、ＭＰＥＧ形式の動画像データに変換する
請求の範囲８に記載の動画像配信装置。
【請求項１０】
伝送路を介して動画像の配信を受けて、所定の広さの画面に表示する画像表示装置に対して、前記動画像を配信する動画像配信装置であって、
前記画像表示装置の画面よりも広く、静止画像および動画像またはこれらのいずれかを含む画像を示す画像データから、前記画像表示装置の画面に対応する広さの画像を示し、前記画像表示装置により表示されうる形式の動画像を生成する動画像生成手段と、
前記生成された動画像を、前記伝送路を介して、前記画像表示装置に対して配信する動画像配信手段と
を有する動画像配信装置と
を有する動画像配信システム。
【請求項１１】
前記画像表示装置と、前記動画像表示装置とは、回線交換により設定される前記伝送路により接続される
請求の範囲１０に記載の動画像配信システム。
【請求項１２】
前記画像表示装置と、前記動画像表示装置とは、蓄積交換により設定される前記伝送路により接続される
請求の範囲１０に記載の動画像配信システム。
【請求項１３】
伝送路を介して動画像の配信を受けて、所定の広さの画面に表示する画像表示装置に対して、前記動画像を配信する動画像配信方法であって、
前記画像表示装置の画面よりも広く、静止画像および動画像またはこれらのいずれかを含む画像を示す画像データから、前記画像表示装置の画面に対応する広さの画像を示し、前記画像表示装置により表示されうる形式の動画像を生成する動画像生成ステップと、
前記生成された動画像を、前記伝送路を介して、前記画像表示装置に対して配信する動画像配信ステップと
を含む動画像配信方法。
【請求項１４】
伝送路を介して動画像の配信を受けて、所定の広さの画像に表示する画像表示装置に対して、前記動画像を配信する動画像配信プログラムであって、
前記画像表示装置の画面よりも広く、静止画像および動画像またはこれらのいずれかを含む画像を示す画像データから、前記画像表示装置の画面に対応する広さの画像を示し、前記画像表示装置により表示されうる形式の動画像を生成する動画像生成ステップと、
前記生成された動画像を、前記伝送路を介して、前記画像表示装置に対して配信する動画像配信ステップと
をコンピュータに実行させる動画像配信プログラム。
【請求項１５】
（削除）
【請求項１６】
（削除）
【請求項１７】
（削除）
【請求項１８】
伝送路を介して動画像の配信を受けて、所定の広さの画面に表示する画像表示装置に対して、前記動画像を配信する動画像配信装置であって、
前記画像表示装置の画面よりも広い画面に表示される文書データから、前記画像表示装置の画面に対応する広さの画像を示し、前記画像表示装置により表示されうる形式の動画像を生成する動画像生成手段と、
前記生成された動画像を、前記伝送路を介して、前記画像表示装置に対して配信する動画像配信手段と
を有する動画像配信装置。
【請求項１９】
前記文書データがＷＥＢデータである
請求の範囲１８に記載の動画像配信装置。
【請求項２０】
それぞれ情報を表し、選択可能な複数の音声を、前記伝送路を介して送信し、伝送路を介して動画像の配信を受けて、所定の広さの画面に表示する画像表示装置に対して、前記動画像を配信する動画像配信装置であって、
前記送信された音声を識別して、選択された音声が表す情報を示す識別データを作成する音声識別手段と、
前記作成された識別データに基づいて、静止画像または動画像またはこれらのいずれかを含み、前記画像表示装置の画面よりも広い画像を示す画像データを供給する画像供給手段と
前記供給された画像表示装置の画面よりも広い画像を示す画像データから、前記画像表示装置の画面より広い画像を示し、前記画像表示装置により表示されうる形式の動画像を生成する動画像生成手段と、
前記生成された動画像を、前記伝送路を介して、前記画像表示装置に対して配信する動画像配信手段と、
を有し、
前記画像供給手段は、前記画像表示装置に表示される動画像が、前記動画像生成装置に供給された画像の範囲を超えたときにのみ、前記動画像生成装置に、前記動画像生成装置に供給された画像の範囲を超えた部分の前記画像データを供給し、
前記動画像生成手段は、前記作成された識別データに基づいて、前記供給された画像データを、前記画像表示装置の画面よりも広い画像の内、前記画像表示装置の画面に表示される範囲を示し、前記画像表示装置により表示されうる形式の動画像に変換する
動画像配信装置。
【国際調査報告】
2007034550.tif 000013
2007034550.tif 000014
2007034550.tif 000015
2007034550.tif 000016
2007034550.tif 000017
2007034550.tif 000018